(57)【要約】【課題】低電力および高変換率のメリットを有し、熱エネルギー分布の均一性および温度範囲の正確性を保証し、温灸療法の利便性および治療効果を効果的に向上させることが可能な揉み温灸器を提供する。【解決手段】台座２１は、一端に収容溝２１０が凹設されており、収容溝２１０に近い位置に第１の組立部２１１が設けられている。接触部材２２は、絶縁材料で製造されており、一端に第２の組立部２２１が設けられている。制御回路２３は、収容溝２１０内に設けられており、且つ給電手段２０と電気的に接続されており、給電手段２０から供給される電力により駆動信号を生成可能である。コイル管２４は、閉鎖空間内に固定されており、中空状を呈する絶縁座２４１および加熱コイル２４２を有する。熱伝導部材２５は、金属材料で構成されており、誘導部２５１と伝導部２５２とを有する。【選択図】  図２
0003196760.tif 000002
【実用新案登録請求の範囲】
【請求項１】
一端に収容溝が凹設されており、前記収容溝に近い位置に第１の組立部が設けられている台座と、
絶縁材料で製造されており、一端に第２の組立部が設けられており、前記第２の組立部が前記第１の組立部と連結可能であり、前記収容溝を密封することで閉鎖空間を形成する接触部材と、
前記収容溝内に設けられており、且つ給電手段と電気的に接続されており、前記給電手段から供給される電力により駆動信号を生成可能である制御回路と、
前記閉鎖空間内に固定されており、中空状を呈する絶縁座およびマルチターン型加熱コイルである加熱コイルを有し、前記加熱コイルが、前記絶縁座の外側に巻き付けられており、前記制御回路と電気的に接続されており、前記駆動信号を受信可能であり、前記駆動信号が直流である場合、直流電流の通過により熱エネルギーを発生可能であり、前記駆動信号が交流の場合、交流電流の通過により前記閉鎖空間内で交番磁界を発生するコイル管と、
金属材料で構成されており、誘導部と伝導部とを有し、前記誘導部は構造が前記絶縁座と対応しており、前記絶縁座内の前記加熱コイルに対応する位置に挿着可能であり、前記伝導部は、一端が前記誘導部と連結しており、他端が前記接触部材の内壁面に当接しており、前記加熱コイルが発生する熱エネルギーを前記絶縁座、前記誘導部、および前記伝導部の順に前記接触部材の外側に伝達する、または、前記加熱コイルが発生した交番磁界が電磁誘導によって前記誘導部で形成した誘導電流によって発生した熱エネルギーを前記接触部材に伝達可能である熱伝導部材と、を備えることを特徴とする揉み温灸器。
【請求項２】
前記加熱コイルは、第１のコイル部と第２のコイル部とを有し、前記第１のコイル部の一端が前記制御回路に接続されており、前記第２のコイル部の一端が前記第１のコイル部の他端に接続されており、
前記制御回路上にスイッチング手段が設けられており、
前記スイッチング手段は、前記第１のコイル部の一端又は前記第２のコイル部の他端に接続されていることができることを特徴とする請求項１に記載の揉み温灸器。
【請求項３】
前記接触部材は他端に接触円弧面が設けられており、
前記伝導部は他端に伝導円弧面が設けられており、
前記伝導円弧面は構造が前記接触円弧面の構造と対応しており、
前記伝導部は他端が前記接触部材の内壁面に当接可能であることを特徴とする請求項２に記載の揉み温灸器。
【請求項４】
前記加熱コイルのターン数は、５００〜２５００ターンであることを特徴とする請求項３に記載の揉み温灸器。
【請求項５】
前記絶縁座は一端に止め部が設けられており、
前記止め部は前記伝導部の一端に当接可能であることを特徴とする請求項４に記載の揉み温灸器。
【請求項６】
前記台座は、開口部が貫設されており、前記開口部の近傍にフィンガーホールが形成されていることを特徴とする請求項５に記載の揉み温灸器。
【考案の詳細な説明】
【技術分野】
【０００１】
本考案は、揉み温灸器に関し、特に、コイル管を利用して熱伝導部材を加熱し、更に、接触部材により熱エネルギーを利用者の患部に間接的に伝達する揉み温灸器に関する。
【背景技術】
【０００２】
近年、経済の急速な発展に伴い、近代人の生活が徐々に富裕となり、人々は昔のように衣食が満ち足りるだけに満足せず、生活の品質と医療健康を重視し始めている。ただし、近代人の生活リズムとテンポは徐々速くなってきているため、仕事のストレスも益々大きくなり、適切に体と気持ちをリラックスできない場合、生理的或いは心理的に極めて大きな問題となり、体の痛みや不調が起きやすい。よって、多くの人々は按摩或いはマッサージを介して心身のリラックス効果を得ている。しかしながら、按摩は完全に手揉みの力により人体のツボを刺激すると共に体の機能を調整できるが、一般人自身による按摩の効果は顕著ではない。
【０００３】
また、中医学文化において「鍼、灸、薬剤、吸玉、マッサージ」は五大療法と総称されている。「灸」はもぐさ灸療法を示し、その原理は熱伝導を利用してもぐさを燃焼させた後で発生する熱量を体の表面を経由して経穴に導入し、熱刺激作用を介して痛みを軽減すると共に病気への抵抗力を誘発できるため、「温灸療法」とも呼ばれる。温灸療法は、人体の疲労を効果的に緩和できる以外に、血圧、呼吸、脈拍、心拍、神経、血管にとっても顕著な調整作用がある。温灸療法は、鍼灸療法のように鍼を媒介物として体内の経穴を刺激することがないため、一般人の受容度が比較的高く、近年も徐々に世間一般にまで普及している。
【０００４】
温灸療法は、主に熱エネルギーを通じて人体の経絡と経穴に刺激並び誘発するため、実際「薬草燃焼」の方式で熱エネルギーが発生するとは限らない。現在、市販されている多くの温灸器は、電熱方式によって熱エネルギーを発生させて利用者の患部を揉み込み、熱力を通じて温灸、按摩とマッサージの治療効果を実現できる。図１を参照すると、従来の温灸器１であり、温灸器１は握り部１１とランプ熱源手段１２と蓄熱部１３とを含む。握り部１１は中空管体で、その中にランプソケット１１０が設けられる。ランプ熱源手段１２は、ランプソケット１１０上に取り付けられ、蓄熱部１３が握り部１１上を覆いランプ熱源手段１２の一端に対応し、ランプ熱源手段１２が通電された後、光を蓄熱部１３上に投射させ熱エネルギーを蓄熱部１３に伝達することで、利用者は温灸器１で患部を揉み込むと共にマッサージを行わせることができる。
【０００５】
しがしながら、前記温灸器１又は市販されている各種温灸器を問わず、実際の使用において多くの不便が存在し、利用者の利用意欲が低下していることを、以下の通り説明する。
（１）熱伝達効果が低い：図１を参照すると、温灸器１はランプ熱源手段１２によって熱エネルギーを発生し、ランプ熱源手段１２が通電した後、光と熱エネルギーを各々発生し、つまりランプ熱源手段１２が受けた電気エネルギーの大部分は、光に変換され、残りの部分が熱エネルギーに変換されるため、温灸器１の変換効率が低すぎる。これ以外に、ランプ熱源手段１２と蓄熱部１３間が相互に接触しないため、ランプ熱源手段１２が発生した熱エネルギーは、放射（光を通す）又は対流（空気を通す）方式で蓄熱部１３に伝達し、伝達過程中、更に熱エネルギーの損失が生じてしまう。これから温灸器１の発熱原理は、変換効率と伝達効果において、いずれもまだ極めて大きいな改善余地があることが分かる。
（２）消費電力が大きい：図１に示す温灸器１以外に、市販されているものに電熱線或いは電熱プレートを利用して発熱する温灸器がある。しかしながら電熱線或いは電熱プレートの消費電力が極めて大きく、電力を消費しすぎることで、一般利用者の購入意欲が下がり、普及と販売しにくくなっている。
（３）温度の不均一：温灸療法は、患部を一定時間押圧する必要があるため、「熱エネルギーの均一」と「温度の高さ」が温灸療效に影響する１つの大きいな重要要因となる。図１に示す温灸器１を例とすると、蓄熱部１３は、金属材質で製造されるため、ランプ熱源手段１２が発生した熱エネルギーは、迅速に患部まで伝達できる。ただし、温灸器１内の電力制御が不安定で、発生した熱エネルギーが過大だった場合、利用者が容易に火傷し易くなり、逆に怪我が起きてしまう。絶縁材料で温灸器の筐体を製造した業者もあるが、絶縁材料の熱伝導が比較的遅いため、熱エネルギーの不均一又は温度が長時間保持できない等の問題が起きやすい。
【考案の概要】
【考案が解決しようとする課題】
【０００６】
よって、熱エネルギーの伝導及び変換効率を兼ね備えるだけではなく、且つ安定して熱エネルギーを出力することで利用者に温灸療法を行わせる揉み温灸器を如何に設計するかが、本考案で解決しようとする重要課題となった。
【０００７】
現在の各種温灸器に存在する熱エネルギーの変換、伝達効率が低すぎ、且つ安定して均一な温度を保持できない問題点に鑑み、考案者は長年に渡り研究開発経験によって鋭意研究、テストと改良を重ねた結果、ようやく本考案の揉み温灸器を考案し、効果的に前記の多くの問題点を解決できると期待している。
【０００８】
本考案の目的は、低電力および高変換率のメリットを有し、熱エネルギー分布の均一性および温度範囲の正確性を保証し、温灸療法の利便性および治療効果を効果的に向上させることが可能な揉み温灸器を提供することにある。
【課題を解決するための手段】
【０００９】
上記目的を達成するため、本考案の揉み温灸器は、台座、接触部材、制御回路、コイル管、および熱伝導部材を備える。台座は、一端に収容溝が凹設されており、収容溝に近い位置に第１の組立部が設けられている。
接触部材は、絶縁材料（例：木製温灸鍼頭）で製造されており、一端に第２の組立部が設けられており、第２の組立部が第１の組立部と連結可能であり（例：係止或いは螺合）、収容溝を密封することで閉鎖空間を形成する。
制御回路は、収容溝内に設けられており、且つ給電手段（例：電源コンセント、電池）と電気的に接続されており、給電手段から供給される電力により駆動信号を生成可能である。
コイル管は、閉鎖空間内に固定されており、中空状を呈する絶縁座および加熱コイルを有し、加熱コイルが、絶縁座の外側に巻き付けられており、制御回路と電気的に接続されており、駆動信号を受信可能であり、駆動信号が直流である場合、直流電流の通過により熱エネルギーを発生可能であり、駆動信号が交流の場合、交流電流の通過により閉鎖空間内で交番磁界を発生する。
熱伝導部材は、金属材料で構成されており、誘導部と伝導部とを有する。誘導部は、構造が絶縁座と対応しており、絶縁座内の加熱コイルに対応する位置に挿着可能である。伝導部は、一端が誘導部と連結しており、他端が接触部材の内壁面に当接しており、加熱コイルが発生する熱エネルギーを絶縁座、前記誘導部、および伝導部の順に接触部材の外側に伝達する、または、加熱コイルが発生した交番磁界が電磁誘導によって誘導部で形成した誘導電流によって発生した熱エネルギーを接触部材に伝達可能である。
【００１０】
本考案は、制御回路から生成した駆動信号を交流とすることができる。また、加熱コイルは、交流電流の通過により、閉鎖空間内に交番磁界を発生させることで、熱伝導部材の誘導部で誘導電流が発生する。熱伝導部材が誘導電流によって発熱すると共に熱エネルギーを接触部材に伝達可能である。
コイル管により熱エネルギーを発生させ、熱伝導部材により熱エネルギーを利用者の患部に間接的に伝達する方式は、低電力（約２〜５Ｗ）で、高変換率のメリットを有し、接触部材の熱エネルギー分布の均一性および温度範囲（如：４０〜５０℃）の正確性を保証し、温灸療法の利便性および治療効果を効果的に向上させることができる。
【００１１】
以下に、本考案の技術原理、構造特徴及びその目的を審査官に更に理解してもらうために、本考案の実施形態を添付図面に基づいて詳細に説明する。
【図面の簡単な説明】
【００１２】
【図１】従来の揉み温灸器を示す模式図である。
【図２】本考案による第一実施形態の揉み温灸器を示す模式図である。
【図３】本考案による第二実施形態の揉み温灸器を示す模式図である。
【図４】本考案による第三実施形態の揉み温灸器を示す模式図である。
【図５】本考案による第四実施形態の揉み温灸器を示す模式図である。
【考案を実施するための形態】
【００１３】
（第一実施形態）
本考案の第一実施形態による揉み温灸器を図2に示す。本実施形態による揉み温灸器２は、台座２１と接触部材２２と制御回路２３とコイル管２４と熱伝導部材２５とを備える。台座２１の一端に収容溝２１０が凹設されており、且つ収容溝２１０に近い位置に第１の組立部２１１が周設されている。接触部材２２は絶縁材料で製造され（本実施形態において木質であるが、実際はいかなる非金属の絶縁材料でも使用できる）、且つその構造が中空状のハウジングとする。接触部材２２の一端に第２の組立部２２１が周設されており、他端に接触円弧面２２２が設けられている。
本実施形態において第１の組立部２１１は凹溝で、第２の組立部２２１が凸起し、パッキン方式で第１の組立部２１１内に固定させることができ、また接触部材２２の中空内部と収容溝２１０の間に閉鎖空間が形成される。ただし、本考案の他の好ましい実施形態において、これら組立部２１１、２２１の構造は、これに限るものではなく、これら組立部２１１、２２１も螺合、係止等の方式で相互に結合できる。この点につき、予め説明しておく。
【００１４】
制御回路２３は、収容溝２１０内に設けられ、且つ給電手段２０（例：電源コンセント、電池）と電気的に接続することで、給電手段２０から供給される電力を受け、またこれをもって駆動信号を生成できる。コイル管２４は、閉鎖空間内に固定され、絶縁座２４１と加熱コイル２４２とを備える。本実施形態において絶縁座２４１は、中空状を呈し、且つ一端に止め部２４３が設けられている。加熱コイル２４２は、絶縁座２４１の中間部外側に巻き付き、また制御回路２３と電気的に接続することで、駆動信号を受信できる。
【００１５】
熱伝導部材２５は、金属材料で構成され、誘導部２５１と伝導部２５２とを備え、誘導部２５１の構造が絶縁座２４１にマッチすることで、絶縁座２４１内の加熱コイル２４２に対応する位置に挿着できる。伝導部２５２の一端が誘導部２５１と連結し、且つその断面幅が止め部２４３の長さにマッチすることで、止め部２４３上に当接できる。伝導部２５２の他端に伝導円弧面２５３が設けられており、伝導円弧面２５３の構造が接触円弧面２２２の構造にマッチし、伝導部２５２の他端が接触部材２２の内壁面に密着させることで加熱コイル２４２が発生する熱エネルギー順次に絶縁座２４１、誘導部２５１、伝導部２５２を通じて接触部材２２の外側に伝達させることができる。
【００１６】
本考案の揉み温灸器２は、直流又は交流の使用を問わず、いずれも正常に作動できることを次に各々説明する。駆動信号が直流の場合、加熱コイル２４２は、一定で且つ無視できない抵抗（導線の抵抗計算式は式１）を有し、またその電力を式２で求められる。考案者の実際のテストによると、駆動信号が１２ボルトの電圧を固定供給し、且つ加熱コイル２４２が１５００ターンの場合（本考案の好ましい実施形態において、加熱コイル２４２のターン数は５００〜２５００ターンの時、温灸に適した温度を発生できる）において、加熱コイル２４２上の電流が約０．２ミリアンペアで、つまりその電力は約４〜５ワットで、図１に示す従来技術のランプ熱源手段１２（一般白熱電球の電力は約７０〜１００ワット）より遥かに小さい。この場合、加熱コイル２４２上の温度は約５０℃で、接触部材２２の外側上の温度が約４５℃となり、全体的な熱エネルギー損失が極めて低く、且つ熱エネルギーの分布が均一となる。
【００１７】
【数１】
0003196760.tif 000003
【００１８】
【数２】
0003196760.tif 000004
【００１９】
また、駆動信号が交流の場合、加熱コイル２４２の作動状態は式３及び電磁誘導の式４から推察でき、つまり交流電流が加熱コイル２４２を通過した場合、加熱コイル２４２が電流の変化によって閉鎖空間２２０内に交番磁界を発生させることができる。交番磁界で発生した磁力線は、熱伝導部材２５で顕著な磁束密度の変化を発生することができ、熱伝導部材２５が電磁誘導によりその内部に誘導電流を生成させることで熱エネルギーを発生できる。
【００２０】
【数３】
0003196760.tif 000005
【００２１】
【数４】
0003196760.tif 000006
【００２２】
上記をまとめると、駆動信号が直流の場合、加熱コイル２４２は、直流電流の通過により熱エネルギーを発生できる。若しくは駆動信号が交流の場合、加熱コイル２４２は、交流電流の通過により、閉鎖空間２２０内に交番磁界が発生することができるため、加熱コイル２４２が熱伝導又は電磁誘導の方式を通じて熱伝導部材２５の誘導部２５１に対し加熱でき、且つ熱エネルギーを順次に絶縁座２４１、誘導部２５１、伝導部２５２を通じて接触部材２２の外側まで伝達できる。これをもって揉み温灸器２は次の効果を奏することができる。
（１）熱伝達が均一：コイル管２４は発生する熱エネルギーは、金属材質の熱伝導部材２５により間接的に絶縁材質の接触部材２２上に伝達するため、接触部材２２の外側上の温度が均一となり、且つロスしにくく、且つ温灸に適した温度範囲（つまり、４０〜５０℃）を長時間保持できる。これ以外に、図２を参照すると、接触部材２２上の熱エネルギーは、熱伝導部材２５と接触する部位（つまり接触部材２２の先端部）に集中するが、コイル管２４が発生した熱エネルギーも閉鎖空間２２０内の空気により接触部材２２の他の部位まで導かれることができるため、接触部材２２の側縁部はやはり一定の熱度を有し、揉み温灸器２に比較的大きな温灸範囲を持たせる。
（２）熱伝導率が高い：コイル管２４及び熱伝導部材２５は、いずれも閉鎖空間２２０内に密封されるため、熱エネルギーの伝達過程中で損失しにくくなっている。先に述べた通り考案者のテスト結果によると、加熱コイル２４２の温度が５０℃の時、接触部材２２の外側温度がやはり約４５℃を保持し、これからその熱伝導性が優れていることが分かる。
（３）低電力：図１に示す揉み温灸器１に比べると、本考案は、コイル管２４を利用して加熱を行い、光を投射する必要がなく、エネルギー効率も比較的高いため、低電力（約２〜５ワット）の電源とするだけで充分働きを発揮できる。これ以外に、図２を参照すると、本考案の給電要求が低いため、制御回路２３上も接続ケーブルによりＵＳＢ接続ジャックに接続でき、これをもって利用者はＵＳＢ接続ジャックを電子機器（例：パソコン、ノートパソコン）のＵＳＢポート（つまり、５ボルトの電圧を固定供給できる）に差し込むことで、いつどこででも温灸を行うことができる。
（４）コンパクトな構造：これ以外に、本考案においてコイル管２４、熱伝導部材２５の構造はいずれも極めてシンプルで、過多な体積空間を占めないため、揉み温灸器２は指のような太さにすることができ、利用者の利用に有利となる。
【００２３】
（第二実施形態）
本考案の第二実施形態による揉み温灸器を図３に示す。説明の便宜のため、図３において、絶縁座２４１及び熱伝導部材２５等の構成要素を省略した。加熱コイル２４２は、更に第１のコイル部２４２ａと第２のコイル部２４２ｂに区分できる。第１のコイル部２４２ａの一端は、制御回路２３と接続し、他端に接続側Ａが設けられる。第２のコイル部２４２ｂの一端は、第１のコイル部２４２ａの他端に接続し、他端にも接続側Ｂが設けられる。制御回路２３上にスイッチング手段２３１と発光ダイオード２３２が更に設けられており、制御回路２３が作動している場合、発光ダイオード２３２が光を投射して利用者に現在揉み温灸器２が作動状態であることを知らせることができる。スイッチング手段２３１の自由端は、第１のコイル部２４２ａ或いは第２のコイル部２４２ｂ上の接続側Ａ、Ｂを選択可能に接続する。これをもって利用者は、スイッチング手段２３１の接続状態（例：台座上にトグルスイッチを取り付ける）を選択的に調整して加熱コイル２４２の発熱程度を変更することができる。第１のコイル部２４２ａは、１０００ターンで、第２のコイル部２４２ｂが５００ターンとする場合、スイッチング手段２３１を第２のコイル部２４２ｂの接続側Ｂに接続した時、これらのコイル部２４２ａ、２４２ｂ上に電流が通過するため、抵抗或いは発生した交番磁界を問わず、いずれも比較的大きく、接触部材は好適な温度（約４０〜４５℃）に保持させることができる。
【００２４】
逆に、スイッチング手段２３１を第１のコイル部２４２ａの接続側Ａに接続した時、この時の加熱コイル２４２上に第１のコイル部２４２ａの電流のみが通過するため、抵抗或いは発生した交番磁界を問わず、いずれも比較的小さく、接触部材は比較的緩やかな温度（約３８〜４０℃）に保持させることができる。図２乃至図３を参照すると、利用者は自分のニーズに応じて揉み温灸器２から出力される熱エネルギーの大きさを調整できるが、揉み温灸器２の調整方法はこれに限るものではなく、揉み温灸器２も給電手段２０から出力される駆動信号の大きさの変更によって接触部材２２外側の温度を変更する目的を達成できる。
【００２５】
（第三実施形態）
本考案の揉み温灸器は、体の血液循環を促進し、細胞の再生能力を増強させるだけではなく、筋肉痛を改善して疲労解消効果を奏することができ、肌の美容、血液循環及び筋肉疲労の回復をサポートする。このほかに、その構造も図２に示す手持式に限るものではない。本考案の第三実施形態による揉み温灸器を図４に示す。本実施形態において台座４１上に開口部４１０が貫設されており、台座４１上の開口部４１０に近い部位にフィンガーホール４１１を形成させ、利用者がフィンガーホール４１１に指を差し込んで温灸を行うことができる。また接触部材４２の構造と大きさも業者の実際のニーズに応じて調整できる。
【００２６】
（第四実施形態）
本考案の第四実施形態による揉み温灸器を図５に示す。本実施形態において、台座５１は平板状として設計でき、且つその上に複数の接触部材５２を同時に取り付けることができる。これをもって利用者の患部が手で届かない位置（例：足裏或いは背中）にあっても、利用者は患部を直接台座５１上（例：踏む又は座る・横たわる）に当接することで、快適に温灸を行うことができる。
【００２７】
以上に述べたものは、本考案の好ましい実施形態であって、本考案の技術的特徴はこのような実施形態のみに限定されるべきものではなく、当業者が本考案を参酌した後容易に想到できる種々の修正及び変更は、均しく本考案の保護範囲に属する。
【符号の説明】
【００２８】
１  温灸器
１１  握り部
１１０  ランプソケット
１２  ランプ熱源手段
１３  蓄熱部
２、４、５  揉み温灸器
２０  給電手段
２１、４１、５１  台座
２１０  収容溝
２１１  第１の組立部
２２、４２、５２  接触部材
２２０  閉鎖空間
２２１  第２の組立部
２２２  接触円弧面
２３  制御回路
２３１  スイッチング手段
２３２  発光ダイオード
２４  コイル管
２４１  絶縁座
２４２  加熱コイル
２４２ａ  第１のコイル部
２４２ｂ  第２のコイル部
２４３  止め部
２５  熱伝導部材
２５１  誘導部
２５２  伝導部
２５３  伝導円弧面
４１０  開口部
４１１  フィンガーホール
Ａ、Ｂ  接続側
【図１】
0003196760.tif 000007
【図２】
0003196760.tif 000008
【図３】
0003196760.tif 000009
【図４】
0003196760.tif 000010
【図５】
0003196760.tif 000011